(57)【要約】【解決手段】剛性枠体６と、トンネル１の内周面１ａに沿って配設されるコンクリート打設用型枠の天井型枠４等を連結して剛性枠体６に吊下し得る型枠吊下部７と、吊下索が連結される索連結部８とを備えている。索連結部８は吊下索が巻き掛けられる滑車を備え、滑車の回転中心線を剛性枠体６の内側に配設して索連結部８を剛性枠体６の外側へ突出させないようにした。索連結部８は剛性枠体６に対し着脱可能に取り付けられている。【効果】トンネル１内の狭い搬送空間Ｓで吊下補助装置５が嵩張らず、天井型枠４等の搬送作業を容易にすることができる。【選択図】図１
2005282097.tif 000002
【特許請求の範囲】
【請求項１】
剛性枠体と、トンネルの内周面に沿って配設されるコンクリート打設用型枠を連結してこの剛性枠体に吊下し得る型枠吊下部と、吊下索が連結される索連結部とを備え、この剛性枠体の内側にこの索連結部を配設して剛性枠体の外側へ突出させないようにしたことを特徴とするトンネル内のコンクリート打設用型枠吊下補助装置。
【請求項２】
剛性枠体と、トンネルの内周面に沿って配設されるコンクリート打設用型枠を連結してこの剛性枠体に吊下し得る型枠吊下部と、吊下索が連結される索連結部とを備え、この索連結部は吊下索が巻き掛けられる滑車を備え、この滑車の回転中心線をこの剛性枠体の内側に配設したことを特徴とするトンネル内のコンクリート打設用型枠吊下補助装置。
【請求項３】
前記索連結部は前記剛性枠体に対し着脱可能に取り付けられていることを特徴とする請求項１または請求項２に記載のトンネル内のコンクリート打設用型枠吊下補助装置。
【発明の詳細な説明】
【技術分野】
【０００１】
本発明は、トンネル内でコンクリート打設用型枠を吊下する際に利用する補助装置に関するものである。
【背景技術】
【０００２】
この種の吊下補助装置は、トンネル内で組み立てられたコンクリート打設用型枠支持装置で支持台に天井型枠等を載置したりその支持台上から天井型枠等を取り外したりする場合、支持台とトンネルの天井内周面との間の搬送空間で、ウインチやチェーンブロックや移動式クレーンなどにより天井型枠等を吊下する際に利用する。
【０００３】
図４に示すように、従来の吊下補助装置５は、剛性枠体６と型枠吊下部７と索連結部８とを備えている。この索連結部８は、滑車２０を有し、剛性枠体６の外側に取り付けられて剛性枠体６から外側へ突出している。トンネルの天井内周面に取り付けられた索連結部２３の滑車２３ａと前記吊下補助装置５における索連結部８の滑車２０との間に吊下索２４が巻き掛けられている。前記吊下補助装置５における型枠吊下部７に例えば天井型枠４を連結する。例えば、ウインチ（図示せず）により吊下索２４を引いたり緩めたりすると、吊下補助装置５に吊下された天井型枠４を昇降させることができる。
【発明の開示】
【発明が解決しようとする課題】
【０００４】
しかし、索連結部８が剛性枠体６から外側へ突出しているので、吊下補助装置５が大型化してトンネル内の狭い搬送空間で嵩張る問題があった。そのため、天井型枠等の搬送作業が行いにくくなっていた。
【０００５】
この発明は、トンネル内の狭い搬送空間で天井型枠等の搬送作業を容易にすることを目的としている。
【課題を解決するための手段】
【０００６】
後記実施形態の図面（図１〜３及び図５）の符号を援用して本発明を説明する。
請求項１の発明にかかるトンネル（１）内のコンクリート打設用型枠吊下補助装置（５）は、下記のように構成されている。
【０００７】
この吊下補助装置（５）は、剛性枠体（６）と、トンネル（１）の内周面（１ａ）に沿って配設されるコンクリート打設用型枠（４）を連結してこの剛性枠体（６）に吊下し得る型枠吊下部（７）と、吊下索（２４）が連結される索連結部（８）とを備えている。この剛性枠体（６）の内側にこの索連結部（８）を配設して剛性枠体（６）の外側へ突出させないようにしている。ここに「剛性枠体（６）の内側に索連結部（８）を配設して剛性枠体（６）の外側へ突出させない」とは、剛性枠体（６）の外形状で形取られる内側の領域から少なくとも索連結部（８）の主体部分が外側へ突出しないことを意味し、索連結部（８）の一部分が若干外側へ突出していてもよいことを意味する。ちなみに、この索連結部（８）については、請求項２の発明のように滑車（２０）を備えたものばかりではなく、図示しないが、例えばフックを引き掛けることができる形態のものであってもよい。
【０００８】
請求項１の発明では、吊下補助装置（５）が小型化してトンネル（１）内の狭い搬送空間（Ｓ）で嵩張らないので、天井型枠（４）等の搬送作業を容易にすることができる。
請求項２の発明にかかるトンネル（１）内のコンクリート打設用型枠吊下補助装置（５）は、下記のように構成されている。
【０００９】
この吊下補助装置（５）は、剛性枠体（６）と、トンネル（１）の内周面（１ａ）に沿って配設されるコンクリート打設用型枠（４）を連結してこの剛性枠体（６）に吊下し得る型枠吊下部（７）と、吊下索（２４）が連結される索連結部（８）とを備えている。この索連結部（８）は吊下索（２４）が巻き掛けられる一または複数（二以上）の滑車（２０）を備えている。この滑車（２０）の回転中心線（２１ａ）をこの剛性枠体（６）の内側に配設している。ここに「剛性枠体（６）の内側」とは、剛性枠体（６）の外形状で形取られる内側の領域をいう。その際、この剛性枠体（６）の内側にこの索連結部（８）を配設して剛性枠体（６）の外側へ突出させないようにすることが好ましい。
【００１０】
請求項２の発明では、滑車（２０）の回転中心線（２１ａ）を剛性枠体（６）の内側に配設して滑車（２０）が剛性枠体（６）の外側へ極力突出しないようにして吊下補助装置（５）を小型化しているので、トンネル（１）内の狭い搬送空間（Ｓ）で吊下補助装置（５）が嵩張らず、天井型枠（４）等の搬送作業を容易にすることができる。ちなみに、前記索連結部（８）において滑車（２０）を複数にした場合、個々の滑車（２０）を小型化して剛性枠体（６）の内側に収容し易くなるとともに、吊下索（２４）に生じる張力も小さくして吊下索（２４）の直径を細くすることができる。
【００１１】
請求項１または請求項２の発明を前提とする請求項３の発明において、前記索連結部（８）は前記剛性枠体（６）に対し着脱可能に取り付けられている。請求項３の発明では、索連結部（８）の形態例えば滑車（２０）の数などを吊下条件に応じて変更することができるので、天井型枠（４）等の搬送作業をより一層容易にすることができる。
【発明の効果】
【００１２】
本発明は、吊下補助装置（５）がトンネル（１）内の狭い搬送空間（Ｓ）で嵩張らないので、天井型枠（４）等の搬送作業を容易にすることができる。
【発明を実施するための最良の形態】
【００１３】
以下、本発明の一実施形態にかかるトンネル内のコンクリート打設用型枠吊下補助装置について図１〜３及び図５を参照して説明する。
図１（ａ）に示すように、トンネル１内で組み立てられたコンクリート打設用型枠支持装置２で支持台３に天井型枠４等を載置したりその支持台３上から天井型枠４等を取り外したりする場合、支持台３とトンネル１の天井内周面１ａとの間の搬送空間Ｓで、図示しないウインチやチェーンブロックや移動式クレーンなどにより天井型枠４等を吊下する。図１（ｂ）（ｃ）（ｄ）に示すように、そのような吊下時に利用する吊下補助装置５は、剛性枠体６と型枠吊下部７と索連結部８とを備えている。この剛性枠体６は、長手方向で平行に延びる両主枠部９と、この両主枠部９の両端部間で幅方向へ架設された端枠部１０と、この両端枠部１０間で両主枠部９間に幅方向へ架設された複数（４枚）の中間枠部１１，１２と、中央の両中間枠部１１の上方で両主枠部９上に取着された台部１３とを備えている。前記型枠吊下部７においては、この各中間枠部１１，１２及び両端枠部１０の両端部に隣接して両主枠部９から外側へブラケット１４，１５，１６が幅方向へ突設され、この各ブラケット１４，１５，１６には吊下レバー１７が幅方向へ回動可能に支持されている。この各吊下レバー１７はこの各ブラケット１４，１５，１６に対し着脱することができる。この両ブラケット１４、両ブラケット１５及び両ブラケット１６は、それぞれ、両端枠部１０間の長手方向中央位置Ｃに対し等距離にある。
【００１４】
前記索連結部８においては、図２（ａ）（ｂ）（ｃ）（ｄ）に示すように、互いに平行な両着脱板１８間に複数（４枚）の支持板１９が互いに平行に並設され、この各支持板１９間にそれぞれ滑車２０が嵌め込まれ、各支持板１９に挿着された支軸２１が各滑車２０に挿通されて各滑車２０が支軸２１に対し回転可能に支持されている。この索連結部８は、両主枠部９と中央の両中間枠部１１と両台部１３との間で形成された吊下室２２に嵌め込まれ、両着脱板１８で両主枠部９に対し着脱可能にねじ締結されている。この各滑車２０の回転中心線２１ａは前記剛性枠体６の内側で吊下室２２に配設され、索連結部８が剛性枠体６の外側へ突出しないようになっている。
【００１５】
図３及び図５（ａ）（ｂ）に示すように、トンネル１の天井内周面１ａに取り付けられた索連結部２３の各滑車２３ａ（定滑車）と前記吊下補助装置５における索連結部８の各滑車２０（動滑車）との間に吊下索２４を巻き掛け、この吊下索２４の一端部を剛性枠体６に連結するとともに、この吊下索２４の他端部を例えばウインチ（図示せず）に連結する。これらの滑車２３ａ，２０間で巻き掛けられる吊下索２４の巻掛け状態については、種々変更することができる。また、前記吊下補助装置５における型枠吊下部７の各吊下レバー１７に天井型枠４を連結する。その場合、天井型枠４のサイズに応じて各吊下レバー１７を使い分ける。このウインチ（図示せず）により吊下索２４の他端部を引いたり緩めたりすると、吊下補助装置５に吊下された天井型枠４を昇降させることができる。
【図面の簡単な説明】
【００１６】
【図１】（ａ）はトンネル内を正面側から見て概略的に示す横断面図であり、（ｂ）は本実施形態にかかるコンクリート打設用型枠吊下補助装置を示す平面図であり、（ｃ）は同じく正面図であり、（ｄ）は同じく側面図である。
【図２】（ａ）は図１（ｂ）で平面側から見た部分拡大断面図であり、（ｂ）は上記吊下補助装置の索連結部を示す平面図であり、（ｃ）は（ｂ）のＡ−Ａ線断面図であり、（ｄ）は同じく側面図である。
【図３】上記吊下補助装置を利用して天井型枠を吊下した状態を示す一部切欠き正面図である。
【図４】天井型枠を吊下した従来の状態を示す一部切欠き正面図である。
【図５】（ａ）（ｂ）はそれぞれサイズの異なる天井型枠を上記吊下補助装置を利用して吊下した状態を示す一部切欠き側面図である。
【符号の説明】
【００１７】
１…トンネル、１ａ…天井内周面、４…天井型枠、５…吊下補助装置、６…剛性枠体、７…型枠吊下部、８…索連結部、２０…滑車、２１ａ…滑車の回転中心線、２２…吊下室、２４…吊下索。
【図１】
2005282097.tif 000003
【図２】
2005282097.tif 000004
【図３】
2005282097.tif 000005
【図４】
2005282097.tif 000006
【図５】
2005282097.tif 000007